(57)【要約】【課題】  振動板を確実に保持して音特性を向上することができる小型のラテラル駆動型スピーカを提供する。【解決手段】  湾曲面を有する振動板１０と、その振動板１０の両端部を支持するフレーム２０と、入力信号に応じてそのフレーム２０を介して、フレーム２０に支持された振動板１０の両端部の相対距離が変化するように振動駆動し、振動駆動により振動板１０の湾曲面から当該湾曲面に直交する方向に音圧を放射させるエキサイター３０を設ける。【選択図】図１
2006332782.tif 000002
【特許請求の範囲】
【請求項１】
湾曲面を有する振動板と、
前記振動板の両端部を支持する支持手段と、
入力信号に応じて、前記支持手段を介して、前記支持手段に支持された振動板の両端部の相対距離が変化するように振動駆動し、前記振動駆動により前記振動板の湾曲面から当該湾曲面に直交する方向に音圧を放射させる駆動手段と
を有するラテラル駆動型スピーカ。
【請求項２】
前記支持手段は、
前記振動板の一端部を支持する第１の支持手段と、
前記振動板の他端部を支持する第２の支持手段と、を含み、
前記駆動手段は、前記第１および第２の支持手段の間に設けられ、入力信号に応じて、前記第１および第２の支持手段を介して、前記第１および第２の支持手段に支持された前記振動板の両端部の間の相対距離を変化させ、
前記振動板、前記第１および第２の支持手段、ならびに前記駆動手段が一体化されている
請求項１に記載のラテラル駆動型スピーカ。
【請求項３】
前記駆動手段は、
前記第１および第２の支持手段の間に設けられ、入力信号に応じて前記第１および第２の支持手段の相対距離を変化させるように伸縮する第１および第２の圧電素子と、
前記第１および第２の圧電素子の間に設けられ、前記第１および第２の圧電素子を保持する保持手段と、を含む
請求項２に記載のラテラル駆動型スピーカ。
【請求項４】
前記保持手段は、
前記第１および第２の圧電素子の間に形成された第１の保持部と、
前記第１の保持部と一体化し、前記第１および第２の圧電素子の側面部に沿って形成された第２の保持部と、
前記第１および第２の圧電素子と、前記第２の保持部との間に、前記第１および第２の圧電素子による振動を緩衝する緩衝部材と、を含む
請求項３に記載のラテラル駆動型スピーカ。
【請求項５】
前記駆動手段は、
前記第１および第２の支持手段の間に設けられ、入力信号に応じて前記第１および第２の支持手段の相対距離を変化させるように伸縮する第１および第２の磁歪素子と、
前記第１および第２の磁歪素子の間に設けられ、前記第１および第２の磁歪素子を保持する保持手段と、を含む
請求項３に記載のラテラル駆動型スピーカ。
【請求項６】
前記振動板は、高剛性の金属箔により形成されている
請求項１から５のいずれか一に記載のラテラル駆動型スピーカ。
【請求項７】
前記振動板は、マグネシウム箔により形成されている
請求項１から５のいずれか一に記載のラテラル駆動型スピーカ。
【発明の詳細な説明】
【技術分野】
【０００１】
本発明は、例えば、湾曲した駆動板の端面を駆動して振動するラテラル駆動型スピーカに関するものである。
【背景技術】
【０００２】
近年、ディスプレイとスピーカが一体となったＡＶ（Audio Visual）機器、例えば、ＰＤＰ（Plasma Display Panel）テレビ受像機、液晶テレビ受像機、携帯型ＤＶＤプレーヤ等においては、フラット・パネル・ディスプレイの採用により機器の薄型化が進められている。
【０００３】
また、携帯電話、ＰＤＡ（Personal Digital Assistance）等の携帯型情報端末機器においても液晶ディスプレイや有機ＥＬディスプレイ等のフラット・パネル・ディスプレイが一般に採用されており、薄型かつ軽量化が進められている。
【０００４】
このようなＡＶ機器や携帯型情報端末機器においては、機器全体の薄型化が進められる中でスピーカの設置スペースが大きな問題になっている。また、スピーカを別載する機器においても、車載用の機器や狭いスペースを大きく確保できない場合がある。このような事情により、スピーカに対しての薄型化の要求は更に高くなっている。
【０００５】
このような要求に対応するスピーカとして、例えば、矩形の振動板をその長さ方向に沿って湾曲形成し、その一端を半固定し、他端部を振動可能にエッジを介して支持し、かつ背面の中心部から他端部寄りにドライバを取付けて駆動するスピーカが知られている（例えば、特許文献１参照）。
【０００６】
また、湾曲した振動板と、振動板の端部に設けられたコイルと、そのコイルを挟持するように配置された電磁石とを有し、電磁石による磁気的駆動力により振動板が振動するスピーカが知られている（例えば、特許文献２参照）。
【０００７】
【特許文献１】特開２００４−３５６８６８号公報（図３）
【特許文献２】特開昭６４−５４８９９号公報（図３）
【発明の開示】
【発明が解決しようとする課題】
【０００８】
上述したスピーカでは、動電型の駆動部として、磁界を生成する磁気回路、導体により形成されたコイル、コイルを固定するボビン、ボビンを支持するダンパー、および磁気回路とダンパーを一体化して保持するフレームを主構成要素として有する。
【０００９】
また、例えば上述した振動板としてのフィルムの端面にコイルが設けられ、その端面のコイルが、磁気回路の磁気ギャップ内にて潤滑材または制動材を介して保持されている。
【００１０】
上述した構成のラテラル駆動型スピーカでは、例えば振動板として比較的強度の弱いフィルムなどを用いた場合に、確実に保持することができない場合があり、例えば音特性が低下する場合がある。
【００１１】
本発明は、このような問題に対処することを課題の一例とするものである。すなわち、振動板を確実に保持して音特性を向上することができるラテラル駆動型スピーカを提供することが目的である。
【課題を解決するための手段】
【００１２】
このような目的を達成するために、本発明によるラテラル駆動型スピーカは、以下の各独立請求項に係る構成を少なくとも具備するものである。
【００１３】
請求項１に係る発明のラテラル駆動型スピーカは、湾曲面を有する振動板と、前記振動板の両端部を支持する支持手段と、入力信号に応じて、前記支持手段を介して、前記支持手段に支持された振動板の両端部の相対距離が変化するように振動駆動し、前記振動駆動により前記振動板の湾曲面から当該湾曲面に直交する方向に音圧を放射させる駆動手段とを有することを特徴とする。
【発明を実施するための最良の形態】
【００１４】
本発明に係るラテラル駆動型スピーカは、湾曲面を有する振動板と、その振動板の両端部を支持する支持手段と、入力信号に応じて、その支持手段を介して、その支持手段に支持された振動板の両端部の相対距離が変化するように振動駆動し、その振動駆動により振動板の湾曲面から、湾曲面に直交する方向に音圧を放射させる駆動手段とを主構成要素として有する。
【００１５】
駆動手段は、入力信号に応じて、支持手段を介して、その支持手段に支持された振動板の両端部の相対距離が変化するように振動駆動する。振動板は、その駆動手段の振動駆動により振動板の湾曲面から、その湾曲面に直交する方向に音圧を放射させる。
【００１６】
上述したように本発明に係るラテラル駆動型スピーカは、簡単な構成のためにスピーカ装置全体を小型化することができる。また、支持手段により振動板を確実に保持することができる。例えば金属フィルムや樹脂性フィルムなどの薄板を振動板として用いることができ、音特性を向上することができる。
【００１７】
以下、本発明の実施形態を図面を参照して詳細に説明する。
図１は、本発明の一実施形態に係るラテラル駆動型スピーカの構造を示す説明図である。図２は、図１に示したラテラル駆動型スピーカ１の平面図である。図１，２に示すように、本実施形態に係るスピーカ１は、振動板１０、フレーム２０、およびエキサイター３０を有する。フレーム２０は、本発明に係る支持手段の一実施形態に相当する。エキサイター３０は、本発明に係る駆動手段の一実施形態に相当する。
【００１８】
振動板１０は、例えば図１，２に示すように、湾曲面が形成された湾曲部１１を有する。詳細には図１に示すように、振動板１０の上部が凸形状となるように湾曲部１１が形成されている。本実施形態では図１に示すように、振動板１０の略中央部に湾曲部１１が形成されている。また、図２に示すように、本実施形態に係る振動板１０は、矩形状に形成Sされている。
湾曲部１１は、例えば図１に示すように、上側に凸形状の湾曲面を有する。この湾曲部１１の曲率を変化させることにより、振動板１０が生成する音波の音質を制御することができる。
また、振動板１０は、例えば紙系材料、樹脂などの高分子系材料、金属系材料、またはそれらを組み合わせた複合化材料などを基材として形成されている。本実施形態に係る振動板１０は、例えば樹脂系フィルムと比べて高剛性の金属箔（金属フィルム）により形成されていることが好ましい。振動板１０として、高剛性の金属箔を用いることにより、たとえば樹脂系フィルムにより形成された振動板と比べて、面積が大きな振動板１０を形成することができる。振動板１０の面積を大きくすることで、低音域の音圧特性が向上する。
また、振動板１０は、例えばマグネシウム箔など比較的比重が小さい金属箔により形成されていることが好ましい。比較的比重の小さい金属箔を用いることにより、振動板１０の自重変形を低減することができる。また、振動板１０の剛性を高くするために、振動板１０を厚く形成しても、振動板１０の重量を比較的小さくすることができる。
【００１９】
フレーム２０は、振動板１０の両端部を支持する。図１，２に示すように、例えば本実施形態に係るフレーム２０は、第１のフレーム２１、および第２のフレーム２２を有する。第１のフレーム２１は、本発明に係る第１の支持手段の一実施形態に相当する。第２のフレーム２２は、本発明に係る第２の支持手段の一実施形態に相当する。
【００２０】
第１のフレーム２１は、振動板１０の一方の端部１０ａを支持する。第２のフレーム２２は、振動板１０の他方の端部１０ｂを支持する。本実施形態では、例えば図１に示すように、第１および第２のフレーム２１，２２は、Ｌ字形状に形成されている。また、第１のフレーム２１の一端部２１ａは、振動板１０の一端部１０ａに固定または半固定し、他端部２１ｂはエキサイター３０の一端部に接合している。また、第２のフレーム２２の一端部２２ａは、振動板１０の他端部１０ｂに固定または半固定し、他端部２２ｂはエキサイター３０の他端部に接合している。
【００２１】
エキサイター３０は、第１のフレーム２１および第２のフレーム２２の間に設けられている。また、エキサイター３０は、例えば外部信号源から信号ＳＧ１が入力されると、その信号ＳＧ１に応じて、第１および第２のフレーム２１，２２を介して、第１および第２のフレーム２１，２２に支持された振動板１０の両端部の間の相対距離を変化（変位）させる。詳細には、エキサイター３０は、入力信号ＳＧ１に基づいて、規定された方向（本実施形態では図１に示すようにＸ軸方向）に伸縮する。
【００２２】
また、上述したように本実施形態では図１，２に示すように、僅かに湾曲した平面振動板１０の両端を第１および第２のフレーム２１，２２が支持し、第１のフレーム２１と第２のフレーム２２の間にエキサイター３０を配置し、それら振動板１０、第１のフレーム２１、第２のフレーム２２、エキサイター３０が一体化している。
【００２３】
以上説明した構成のスピーカ１の動作を、図１，２を参照しながら説明する。
エキサイター３０に信号ＳＧ１が入力されると、エキサイター３０は、図１に示すように信号ＳＧ１に応じてＸ軸方向に変位（伸縮）する。エキサイター３０と一体化した第１および第２のフレーム２１，２２それぞれの端部２１ｂ，２２ｂは、エキサイター３０の伸縮に応じてＸ軸方向に同様に変位し、同様に第１および第２のフレーム２２それぞれの端部２１ａ，２２ａがＸ軸方向に変位する。
【００２４】
振動板１０の両端部は、第１および第２のフレーム２１，２２の変位により、振動板１０の両端部の間の相対距離が変化する。詳細には振動板１０の両端部は、Ｘ軸方向に沿って変位する。
【００２５】
振動板１０の端部１０ａ，１０ｂの変位により、湾曲部１１の湾曲面の略中央部では、その湾曲面に直交する方向Ｓ１（Ｘ軸方向と直交するＹ軸方向）に変位する。湾曲部１１の湾曲面の略中央部が変位することにより、振動板１０の周囲の空気に粗密波を生成して、その粗密波による音圧を湾曲面に直交する方向Ｓ１に放射する。
【００２６】
以上、説明したように、湾曲面を有する振動板１０と、その振動板１０の両端部を支持するフレーム２０と、入力信号に応じてそのフレーム２０を介して、フレーム２０に支持された振動板１０の両端部の相対距離が変化するように振動駆動し、振動駆動により振動板１０の湾曲面から当該湾曲面に直交する方向に音圧を放射させるエキサイター３０を設けたので、簡単な構成のためにスピーカ装置全体を小型化することができる。
【００２７】
また、フレーム２０により振動板１０を確実に保持することができるので、例えば金属フィルムや樹脂性フィルムなどの薄板を振動板として用いることができ、音特性を向上することができる。
【００２８】
また、振動板１０の両端部を支持するフレーム２１，２２と、そのフレーム２１，２２の間に設けられたエキサイター３０と、振動板１０が一体化しているので、一般的な構成のラテラル駆動型スピーカと比べて、音特性を低下させることなく小型化することがでる。
【００２９】
また、本実施形態に係る振動板１０は、高剛性の金属箔により形成したので、たとえば樹脂系フィルムにより形成された振動板と比べて、面積が大きな振動板１０を形成することができる。振動板１０の面積を大きくすることで、低音域の音圧特性が向上する。
【００３０】
また、例えばマグネシウム箔などの比較的比重の小さい金属により振動板１０を形成することで、ラテラル駆動型スピーカ１全体の重量も比較的小さくすることができる。
【００３１】
図３は、図１に示したラテラル駆動型スピーカ１のエキサイター３０の第１具体例を説明するための図である。
本具体例に係るエキサイター３０は、入力信号に応じて伸縮する圧電素子３１が第１および第２のフレーム２１，２２の間に形成されている。この圧電素子３１の伸縮により、第１および第２のフレーム２１，２２の端部２１ｂ，２２ｂの相対距離がＸ軸方向に変位し、端部２１ａ，２２ａがＸ軸方向に変位する。
より詳細には、本具体例に係るエキサイター３０は、図３に示すように、第１および第２の圧電素子３１１，３１２、エキサイタボディ３２、および緩衝部材３３を有する。エキサイタボディ３２は、本発明に係る保持手段の一具体例に相当し、衝撃部材３３は、本発明に係る緩衝部材３３の一具体例に相当する。
【００３２】
第１および第２の圧電素子３１１，３１２は、第１および第２のフレーム２１，２２の間に設けられ、入力信号ＳＧ１に応じて第１および第２のフレーム２１，２２の相対距離を変化させるように伸縮する。第１および第２の圧電素子３１１，３１２には、例えば同位相の信号ＳＧ１が入力される。第１および第２の圧電素子３１１，３１２は、この同位相の信号ＳＧ１が入力されると、それぞれ同期して伸縮する。本実施形態では第１および第２の圧電素子３１１，３１２は、図３に示すようにＸ軸方向に沿って伸縮する。
【００３３】
エキサイタボディ３２は、第１および第２の圧電素子３１１，３１２の間に設けられ、第１および第２の圧電素子３１１，３１２を保持する。エキサイタボディ３２は、例えば図３に示すように、第１の保持部３２１、および第２の保持部３２２を有する。
【００３４】
第１の保持部３２１は、第１および第２の圧電素子３１１，３１２の間に形成されている。第２の保持部３２２は、図３に示すように第１の保持部３２１と一体化し、第１および第２の圧電素子３１１，３１２の側面部に沿って形成されている。詳細には、図３に示すように、第２の保持部３２２の略中央部に凸形状の第１の保持部３２１が形成されている。
【００３５】
第１の圧電素子３１１の一端部がフレーム２１の端部２１ｂに接合し、第１の圧電素子３１１の他端部が第１の保持部３２１の側面３２１ａに接合している。また、第２の圧電素子３１２の一端部がフレーム２２の端部２２ｂに接合し、第２の圧電素子３１２の他端部が、第１の保持部３２１の対向する側面部３２２ｂに接合している。
【００３６】
緩衝部材３３は、第１および第２の圧電素子３１１，３１２と第２の保持部３２２との間に設けられ、第１および第２の圧電素子３１１，３１２による振動を緩衝する。緩衝部材３３は、例えば図３に示すように、第１および第２の緩衝部材３３１，３３２を有する。
【００３７】
第１の緩衝部材３３１は、第１の圧電素子３１１と第２の保持部３２２の間に形成され、第２の緩衝部材３３２は、第２の圧電素子３１２と第２の保持部３２２の間に形成されている。この第１の緩衝部材３３１を設けることで、エキサイタボディ３２に伝わる、第１の圧電素子３１１が伸縮した場合に生じる振動を低減することができる。また、この第２の緩衝部材３３２を設けることで、エキサイタボディ３２に伝わる、第２の圧電素子３１２が伸縮した場合に生じる振動を低減することができる。
【００３８】
上述した構成のエキサイター３０の動作を、図１〜３を参照しながら説明する。
第１の圧電素子３１１および第２の圧電素子３１２は、信号ＳＧ１が入力されると、その信号ＳＧ１に応じてＸ軸方向に沿ってそれぞれ同期して伸縮し、第１および第２のフレーム２１，２２をＸ軸方向に沿って変位させる。第１および第２のフレーム２１，２２は、第１の圧電素子３１１および第２の圧電素子３１２による伸縮により、振動板１０の端部１０ａ，１０ｂをＸ軸方向に沿って変位させる。振動板１０の端部１０ａ，１０ｂの変位により、湾曲部１１の湾曲面の略中央部では、その湾曲面に直交する方向Ｓ１（Ｘ軸方向と直交するＹ軸方向）に変位する。湾曲部１１の湾曲面の略中央部が変位することにより、振動板１０の周囲の空気に粗密波を生成して、その粗密波による音圧を湾曲面に直交する方向Ｓ１に放射する。
【００３９】
以上、説明したように、本具体例に係るエキサイター３０は、第１のフレーム２１および第２のフレーム２２の間に設けられ、入力信号ＳＧ１に応じて第１および第２のフレーム２１，２２の相対距離を変化させるように伸縮する第１および第２の圧電素子３１１，３１２と、第１および第２の圧電素子３１１，３１２の間に設けられ、第１および第２の圧電素子３１１，３１２を保持するエキサイタボディ３２（第１の保持部３２１）を有するので、２つの圧電素子３３１，３３２とエキサイタボディ３２（第１の保持部３２１）という簡単な構成により、スピーカ１のエキサイター３０を実現することができ、スピーカ１装置全体を小型化することができる。
【００４０】
また、第１の圧電素子３１１と第２の圧電素子３１２の間に第１の保持部３２１が設けられ、第１および第２の圧電素子３１１，３１２それぞれが入力信号ＳＧ１により同位相で伸縮するので、例えば初期時の第１の圧電素子３１１および第２の圧電素子３１２のＸ軸方向に沿った長さを規定長に設定し、第１の保持部３２１のＸ軸方向に沿った厚みを調整することにより、簡単に振動板１０の曲率を調整することができ、振動板１０による音質を調整することができる。
【００４１】
また、エキサイター３０に、第１および第２の圧電素子３１１，３１２の間に形成された第１の保持部３２１と、第１の保持部３２１と一体化し、第１および第２の圧電素子の３１１，３１２の側面部に沿って形成された第２の保持部３２２と、第１および第２の圧電素子３１１，３１２と、第２の保持部３２２との間に、第１および第２の圧電素子３１１，３１２による振動を緩衝する緩衝部材３３（３３１，３３２）とを設けたので、エキサイタボディ３２に伝わる、第１の圧電素子３１１と第２の圧電素子３１２による振動が低減して、不要なノイズが低減することで、振動板１０が生成する音波の音特性が向上する。
【００４２】
図４は、図１に示したラテラル駆動型スピーカ１のエキサイター３０の第２具体例を説明するための図である。第２具体例に係るエキサイター３０は、圧電素子３１の代わりに磁歪素子３４を用いて振動板１０に加える振動を生成している点である。詳細には、本具体例に係るエキサイター３０は、図４に示すように、磁歪素子３４、コイル３５、およびエキサイタボディ３２を有する。磁歪素子３４は、図４に示すように、第１および第２のフレーム２１，２２の間に設けられ、入力信号ＳＧ１に応じて第１および第２のフレーム２１，２２の相対距離を変化させるように伸縮する。
【００４３】
図４に示すように、本具体例に係る磁歪素子３４は、第１の磁歪素子３４１、および第２の磁歪素子３４２を有する。磁歪素子２１は、例えばコイル部３５等による外部からの磁界に応じて伸縮する。磁歪素子２１は、詳細には例えば希土類元素や遷移金属元素などにより形成され、外部磁場に応じて寸法が変化する。
【００４４】
例えば図４に示すように、第１の磁歪素子３４１，３４２の一端部が第１の保持部３２１の一端部に接合して固定されている。また、第１および第２の磁歪素子３４１，３４２の伸縮する方向が、Ｘ軸方向に沿うように配置されている。第１および第２のコイル３５１，３５２は、第１および第２の磁歪素子３４１，３４２の周囲に形成されている。詳細には図４に示すように、第１および第２のコイル３５１，３５２は、磁歪素子３４１，３４２が伸縮する方向（Ｘ軸方向）を中心軸として、同心円形状に形成されている。第１および第２のコイル３５１，３５２の一端部は、第１の保持部３２１に接合して固定されている。
【００４５】
エキサイタボディ３２は、第１および第２の磁歪素子３４１，３４２の間に設けられ、第１および第２の磁歪素子３４１，３４２を保持する。詳細には、エキサイタボディ３２は、例えば図４に示すように、第１の保持部３２１、および第２の保持部３２２を有する。
【００４６】
第１の保持部３２１は、第１および第２の磁歪素子３４１，３４２の間に形成されている。第２の保持部３２２は、図４に示すように第１の保持部３４１と一体化し、第１および第２の磁歪素子３４１，３４２の側面部に沿って形成されている。詳細には、図４に示すように、第２の保持部３２２の略中央部に凸形状の第１の保持部３２１が形成されている。
【００４７】
上述した構成のエキサイター３０の動作を、図１，２，４を参照しながら説明する。
第１および第２のコイル３５１，３５２は、信号ＳＧ１が入力されると、少なくとも磁歪素子３４１，３４２付近にＸ軸方向に沿ってその信号ＳＧ１に応じた磁界を生成する。例えば、信号ＳＧ１として交流成分を含む電気信号ＳＧ１が、第１および第２のコイル３５１，３５２に入力されると、その交流成分に応じた変動磁場を生成する。
【００４８】
第１および第２の磁歪素子３４１，３４２は、第１および第２のコイル３５１，３５２により生成された磁場に応じてＸ軸方向に沿って伸縮して、第１および第２のフレーム２１，２２の相対距離を変化させる。そして、第１および第２のフレーム２１の端部２１ｂ，２２ｂの相対距離がＸ軸方向に変位し、端部２１ａ，２２ａがＸ軸方向に変位する。第１および第２のフレーム２１，２２は、第１および第２の磁歪素子３４１，３４２による伸縮により、振動板１０の端部１０ａ，１０ｂをＸ軸方向に沿って変位させる。
【００４９】
振動板１０の端部１０ａ，１０ｂの変位により、湾曲部１１の湾曲面の略中央部では、その湾曲面に直交する方向Ｓ１（Ｘ軸方向と直交するＹ軸方向）に変位する。湾曲部１１の湾曲面の略中央部が変位することにより、周囲の空気に粗密波を生成して、その粗密波による音圧を湾曲面に直交する方向Ｓ１に放射する。
【００５０】
以上、説明したように、本具体例に係るエキサイター３０は、第１および第２のフレーム２１，２２の間に設けられ、入力信号ＳＧ１に応じて第１および第２のフレーム２１，２２の相対距離を変化させるように伸縮する第１および第２の磁歪素子３４１，３４２、第１および第２の３５１，３５２を設けたので、例えば、第１具体例に係るエキサイター３０と比べて、磁歪素子を用いているために簡単な構造となり、エキサイター３０を小型化することができ、スピーカ１装置全体も小型化することができる。
【００５１】
また、第１および第２の磁歪素子３４１，３４２の間に第１の保持部３２１が設けられ、第１および第２の磁歪素子３４１，３４２それぞれが入力信号ＳＧ１により同位相で伸縮するので、例えば初期時の第１および第２の磁歪素子３４１，３４２のＸ軸方向に沿った長さを規定長に設定し、第１の保持部３２１のＸ軸方向に沿った厚みを調整することにより、簡単に振動板１０の曲率を調整することができ、振動板１０による音質を調整することができる。
【００５２】
また、一般的なラテラル駆動型スピーカでは、振動板の端部に形成されたコイルが設けられ、その端面のコイルが、磁気回路の磁気ギャップ内にて潤滑剤または制動材を介して保持されているという複雑な構成であるが、本発明に係るスピーカ１では、フレーム２０にて振動板１０の両端部を確実に保持するので、例えば振動板が薄膜やフィルム形状、強度が比較的弱い場合であっても、確実に振動板を保持することができる。
【００５３】
図５は、ラテラル駆動型スピーカに対する信号供給方式の例を示す説明図（等価回路図）である。図５（ａ）は、図４に示したエキサイター３０として磁歪素子を用いた場合のインダクタンス（Ｌ）と信号源Ｓを示す図である。
図５（ａ）に示すように、信号源Ｓから端子Ｔ１，Ｔ２を介して信号ＳＧ１がコイル３５１，３５２に入力されると、磁歪素子３４１，３４２はコイル部３５１，３５２から生成された磁界の作用を受けて変位するので、駆動等価回路としてはインダクタンス（Ｌ１）が主構成要素となる。
図５（ｂ）は、図３に示したエキサイター３０として圧電素子を用いた場合の等価回路を示す図であり、図５（ｃ）は、信号源ＳがトランスＴを介してエキサイター３０による負荷抵抗Ｒ１とキャパシタＣ１とが並列に接続されたものである。
上述したように、エキサイター３０に入力する電気信号を制御することができる。
【００５４】
なお、本発明は、上述した実施形態に限られるものではない。
例えば、上述した実施形態ではコイル部３４は、磁歪素子３４を囲むように筒形状に形成したが、この形態に限られるものではない。コイル部３４は磁歪素子３４が伸縮するために印加する磁界を生成すればよい。
【００５５】
また、上述した実施形態において磁歪素子３４は、振動板１０の端部をＸ軸方向に振動駆動したが、この形態に限られるものではない。例えば磁歪素子３４は、規定した方向に振動板１０を振動駆動してもよい。より具体的には振動板１０の湾曲部の面方向に沿った方向に振動駆動してもよい。
【００５６】
また、エキサイター３０として、機械的インピーダンスが大きい圧電素子（積層圧電素子）を用いることにより、例えば樹脂材料や金属板などを振動板として用いることで、例えば振動板の面積を大きくすることにより、たとえば低音領域の音圧特性を向上することができる。
【図面の簡単な説明】
【００５７】
【図１】本発明の一実施形態に係るラテラル駆動型スピーカの構造を示す説明図である。
【図２】図１に示したラテラル駆動型スピーカ１の平面図である。
【図３】図１に示したラテラル駆動型スピーカ１のエキサイター３０の第１具体例を説明するための図である。
【図４】図１に示したラテラル駆動型スピーカ１のエキサイター３０の第２具体例を説明するための図である。
【図５】図１に示したラテラル駆動型スピーカ１に対する信号供給方式の例を示す説明図（等価回路図）である。（ａ）は図４に示したエキサイター３０として磁歪素子を用いた場合のインダクタンス（Ｌ）と信号源Ｓを示す図である。（ｂ）は図３に示したエキサイター３０として圧電素子を用いた場合の等価回路を示す図である。（ｃ）は信号源ＳがトランスＴを介してエキサイターによる負荷抵抗Ｒ１とキャパシタＣ１とが並列に接続された等価回路図である。
【符号の説明】
【００５８】
１  ラテラル駆動型スピーカ
１０  振動板
１１  湾曲部１１
２０  フレーム
２１  第１のフレーム
２２  第２のフレーム
３０  エキサイター
３１  圧電素子
３２  エキサイタボディ
３３  緩衝部材
３４  磁歪素子
３５  コイル
【図１】
2006332782.tif 000003
【図２】
2006332782.tif 000004
【図３】
2006332782.tif 000005
【図４】
2006332782.tif 000006
【図５】
2006332782.tif 000007